(57)【特許請求の範囲】
【請求項１】
被測定物の網特性を解析する方法であって、
前記被測定物に基準変調信号を印加するステップと、
前記被測定物の出力信号を、互いに異なる１以上のＮ個の復調方式のそれぞれで復調し、復調結果であるＮ個の復調信号を得るステップと、
前記基準変調信号を、前記Ｎ個の復調方式のそれぞれで復調し、復調結果であるＮ個の復調信号を得るステップと、
同一復調方式に基づく前記出力信号の復調信号と前記基準変調信号の復調信号とに基づいて、前記被測定物の網特性を解析するステップと、
を含み、
前記解析ステップが、少なくとも１つの復調方式について、
前記出力信号の復調信号を関連する復調方式と対になる変調方式で変調した結果と、前記基準変調信号の復調信号を関連する復調方式と対になる変調方式で変調した結果とに基づいて、前記被測定物内の変調に関する経路の網特性を解析することを特徴とする網特性解析方法。
【請求項２】
前記Ｎ個の復調信号は、前記出力信号の振幅成分と位相成分とに基づいて、或いは、前記基準変調信号の振幅成分と位相成分とに基づいて、復調した結果に基づくことを特徴とする請求項１に記載の網特性解析方法。
【請求項３】
被測定物の網特性を解析する方法であって、
前記被測定物に基準変調信号を印加するステップと、
前記被測定物の出力信号を振幅復調し、前記出力信号の振幅成分である振幅復調信号を得るステップと、
前記出力信号を位相復調し、前記出力信号の位相成分である位相復調信号を得るステップと、
前記基準変調信号を振幅復調し、前記基準信号の振幅成分である基準振幅信号を得るステップと、
前記基準変調信号を位相復調し、前記基準信号の位相成分である基準位相信号を得るステップと、
前記振幅復調信号と前記基準振幅信号とに基づいて、前記被測定物の網特性を解析するステップと、
前記位相復調信号と前記基準位相信号とに基づいて、前記被測定物の網特性を解析するステップと、
を含み、
前記位相復調信号と前記基準位相信号とに基づいて前記被測定物の網特性を解析するステップが、
前記位相復調信号を関連する位相復調方式と対になる位相変調方式で変調した結果と、前記基準位相信号を前記位相変調方式で変調した結果とに基づいて、前記被測定物内の変調に関する経路の網特性を解析することを特徴とする網特性解析方法。
【請求項４】
被測定物の網特性を解析する装置であって、
前記被測定物に基準変調信号を印加する手段と、
前記被測定物の出力信号を、互いに異なる１以上のＮ個の復調方式のそれぞれで復調し、復調結果であるＮ個の復調信号を得る手段と、
前記基準変調信号を、前記Ｎ個の復調方式のそれぞれで復調し、復調結果であるＮ個の復調信号を得る手段と、
同一復調方式に基づく前記出力信号の復調信号と前記基準変調信号の復調信号とに基づいて、前記被測定物の網特性を解析する手段と、
を備え、
前記解析手段が、少なくとも１つの復調方式について、
前記出力信号の復調信号を関連する復調方式と対になる変調方式で変調した結果と、前記基準変調信号の復調信号を関連する復調方式と対になる変調方式で変調した結果とに基づいて、前記被測定物内の変調に関する経路の網特性を解析することを特徴とする網特性解析装置。
【請求項５】
前記Ｎ個の復調信号は、前記出力信号の振幅成分と位相成分とに基づいて、或いは、前記基準変調信号の振幅成分と位相成分とに基づいて、復調した結果に基づくことを特徴とする請求項４に記載の網特性解析装置。
【請求項６】
被測定物の網特性を解析する装置であって、
前記被測定物に基準変調信号を印加する手段と、
前記被測定物の出力信号を振幅復調し、前記出力信号の振幅成分である振幅復調信号を得る手段と、
前記出力信号を位相復調し、前記出力信号の位相成分である位相復調信号を得る手段と、
前記基準変調信号を振幅復調し、前記基準信号の振幅成分である基準振幅信号を得る手段と、
前記基準変調信号を位相復調し、前記基準信号の位相成分である基準位相信号を得る手段と、
前記振幅復調信号と前記基準振幅信号とに基づいて、前記被測定物の網特性を解析する手段と、
前記位相復調信号と前記基準位相信号とに基づいて、前記被測定物の網特性を解析する手段と、
を備え、
前記位相復調信号と前記基準位相信号とに基づいて前記被測定物の網特性を解析する手段が、
前記位相復調信号を関連する位相復調方式と対になる位相変調方式で変調した結果と、前記基準位相信号を前記位相変調方式で変調した結果とに基づいて、前記被測定物内の変調に関する経路の網特性を解析することを特徴とする網特性解析装置。
【請求項７】
被測定物の網特性を解析する方法であって、
前記被測定物の出力信号から基準変調信号を生成するステップと、
前記被測定物の出力信号を、互いに異なる１以上のＮ個の復調方式のそれぞれで復調し、復調結果であるＮ個の復調信号を得るステップと、
前記基準変調信号を、前記Ｎ個の復調方式のそれぞれで復調し、復調結果であるＮ個の復調信号を得るステップと、
同一復調方式に基づく前記出力信号の復調信号と前記基準変調信号の復調信号とに基づいて、前記被測定物の網特性を解析するステップと、
を含み、
前記解析ステップが、少なくとも１つの復調方式について、
前記出力信号の復調信号を関連する復調方式と対になる変調方式で変調した結果と、前記基準変調信号の復調信号を関連する復調方式と対になる変調方式で変調した結果とに基づいて、前記被測定物内の変調に関する経路の網特性を解析することを特徴とする網特性解析方法。
【請求項８】
被測定物の網特性を解析する方法であって、
前記被測定物の出力信号から基準変調信号を生成するステップと、
前記被測定物の出力信号を振幅復調し、前記出力信号の振幅成分である振幅復調信号を得るステップと、
前記出力信号を位相復調し、前記出力信号の位相成分である位相復調信号を得るステップと、
前記基準変調信号を振幅復調し、前記基準信号の振幅成分である基準振幅信号を得るステップと、
前記基準変調信号を位相復調し、前記基準信号の位相成分である基準位相信号を得るステップと、
前記振幅復調信号と前記基準振幅信号とに基づいて、前記被測定物の網特性を解析するステップと、
前記位相復調信号と前記基準位相信号とに基づいて、前記被測定物の網特性を解析するステップと、
を含み、
前記位相復調信号と前記基準位相信号とに基づいて前記被測定物の網特性を解析するステップが、
前記位相復調信号を関連する位相復調方式と対になる位相変調方式で変調した結果と、前記基準位相信号を前記位相変調方式で変調した結果とに基づいて、前記被測定物内の変調に関する経路の網特性を解析することを特徴とする網特性解析方法。
【請求項９】
被測定物の網特性を解析する装置であって、
前記被測定物の出力信号から基準変調信号を生成する手段と、
前記被測定物の出力信号を、互いに異なる１以上のＮ個の復調方式のそれぞれで復調し、復調結果であるＮ個の復調信号を得る手段と、
前記基準変調信号を、前記Ｎ個の復調方式のそれぞれで復調し、復調結果であるＮ個の復調信号を得る手段と、
同一復調方式に基づく前記出力信号の復調信号と前記基準変調信号の復調信号とに基づいて、前記被測定物の網特性を解析する手段と、
を備え、
前記解析手段が、少なくとも１つの復調方式について、
前記出力信号の復調信号を関連する復調方式と対になる変調方式で変調した結果と、前記基準変調信号の復調信号を関連する復調方式と対になる変調方式で変調した結果とに基づいて、前記被測定物内の変調に関する経路の網特性を解析することを特徴とする網特性解析装置。
【請求項１０】
被測定物の網特性を解析する装置であって、
前記被測定物の出力信号から基準変調信号を生成する手段と、
前記被測定物の出力信号を振幅復調し、前記出力信号の振幅成分である振幅復調信号を得る手段と、
前記出力信号を位相復調し、前記出力信号の位相成分である位相復調信号を得る手段と、
前記基準変調信号を振幅復調し、前記基準信号の振幅成分である基準振幅信号を得る手段と、
前記基準変調信号を位相復調し、前記基準信号の位相成分である基準位相信号を得る手段と、
前記振幅復調信号と前記基準振幅信号とに基づいて、前記被測定物の網特性を解析する手段と、
前記位相復調信号と前記基準位相信号とに基づいて、前記被測定物の網特性を解析する手段と、
を備え、
前記位相復調信号と前記基準位相信号とに基づいて前記被測定物の網特性を解析する手段が、
前記位相復調信号を関連する位相復調方式と対になる位相変調方式で変調した結果と、前記基準位相信号を前記位相変調方式で変調した結果とに基づいて、前記被測定物内の変調に関する経路の網特性を解析することを特徴とする網特性解析装置。
【発明の詳細な説明】
【技術分野】
【０００１】
本発明は、網特性を解析する技術に係り、特に、複数の変調方式により変調された信号を観測することにより各変調方式に関連する信号経路の特性を解析する技術に関する。
【背景技術】
【０００２】
近年、移動体通信システムにおいて、極座標変調方式が採用される傾向にある。極座標変調方式は、信号空間上における信号点を、振幅成分ｒと偏角成分θで表現する方式である（例えば、特許文献２を参照。）。なお、振幅成分は、振幅信号、絶対値成分または絶対値信号とも称する。また、偏角成分は、偏角信号、位相成分または位相信号とも称する。さらに、本明細書では、振幅成分と偏角成分を総じて、極座標成分または極座標信号と称する。この極座標変調方式は、信号増幅器の電力効率を高めることができる。ここで、図１を参照する。図１は、極座標変調方式の概念を示すブロック図である。極座標信号発生器１１０は、ディジタルデータから振幅成分ｒおよび位相成分θを生成する。搬送波信号源１２０から出力される信号は、位相変調器１３０において、位相成分θにより位相変調が施される。位相変調された信号は、極座標アンプ１４０において、さらに、振幅成分ｒにより振幅変調が施される。このように極座標変調方式により生成された信号を、極座標変調信号と称する。なお、極座標アンプ１４０において、可変利得飽和増幅器１４３が、位相変調器１３０の出力信号を振幅成分ｒで振幅変調する。ローパスフィルタ１４１およびバンドパスフィルタ１４２は、関連する信号を最適化するものである。
【０００３】
【特許文献１】特開２００４−３５６８３５号公報
【特許文献２】特開２００５−８６６７３号公報
【特許文献３】特開２００４−３６１１７０号公報
【発明の開示】
【発明が解決しようとする課題】
【０００４】
バンドパスフィルタ１４１およびローパスフィルタ１４２が適切に調整されていない場合、位相変調器１３０での位相変調や極座標アンプ１４０での振幅変調が正しく実施されない。バンドパスフィルタ１４１およびローパスフィルタ１４２を適切に調整するためには、バンドパスフィルタ１４１およびローパスフィルタ１４２の特性を知る必要がある。しかし、極座標アンプ１４０が１つのデバイスとして組み立てられた後では、バンドパスフィルタ１４１への入力信号、ローパスフィルタ１４２への入力信号、および極座標アンプ１４０の出力信号しか観測することができない。従って、従来のネットワークアナライザでは、極座標アンプ１４０の出力信号を観測しても、バンドパスフィルタ１４１およびローパスフィルタ１４２の特性を測定することができない。
【０００５】
そこで、本発明は、被測定物から出力される、複数の変調方式により変調された信号を観測することにより、変調信号の特定成分または特定の変調方式に関連する、被測定物内の特定箇所の網特性を解析する方法および装置を提供することを目的とする。また、極座標アンプに内蔵されるフィルタの網特性を解析することを目的とする。
【課題を解決するための手段】
【０００６】
本第一の発明は、被測定物の網特性を解析する方法であって、前記被測定物に基準変調信号を印加するか、前記被測定物の出力信号から基準変調信号を生成するステップと、前記被測定物の出力信号から、前記出力信号の各成分を生成するステップと、前記基準変調信号から、前記基準変調信号の各成分を生成するステップと、前記出力信号の成分と対応する前記基準変調信号の成分とに基づいて、前記被測定物の網特性を解析するステップとを含むことを特徴とするものである。
【０００７】
本第二の発明は、被測定物の網特性を解析する方法であって、前記被測定物に基準変調信号を印加するか、前記被測定物の出力信号から基準変調信号を生成するステップと、前記被測定物の出力信号を、互いに異なる１以上のＮ個の復調方式のそれぞれで復調し、復調結果であるＮ個の復調信号を得るステップと、前記基準変調信号を、前記Ｎ個の復調方式のそれぞれで復調し、復調結果であるＮ個の復調信号を得るステップと、同一復調方式に基づく前記出力信号の復調信号と前記基準変調信号の復調信号とに基づいて、前記被測定物の網特性を解析するステップとを含むことを特徴とするものである。
【０００８】
本第三の発明は、本第二の発明のおいて、前記解析ステップが、少なくとも１つの復調方式について、前記出力信号の復調信号を関連する復調方式と対になる変調方式で変調した結果と、前記基準変調信号の復調信号を関連する復調方式と対になる変調方式で変調した結果とに基づいて、前記被測定物の網特性を解析することを特徴とするものである。
【０００９】
本第四の発明は、被測定物の網特性を解析する方法であって、前記被測定物に基準変調信号を印加するか、前記被測定物の出力信号から基準変調信号を生成するステップと、前記被測定物の出力信号を振幅復調し、前記出力信号の振幅成分である振幅復調信号を得るステップと、前記出力信号を位相復調し、前記出力信号の位相成分である位相復調信号を得るステップと、前記基準変調信号を振幅復調し、前記基準信号の振幅成分である基準振幅信号を得るステップと、前記基準変調信号を位相復調し、前記基準信号の位相成分である基準位相信号を得るステップと、前記振幅復調信号と前記基準振幅信号とに基づいて、前記被測定物の網特性を解析するステップと、前記位相復調信号と前記基準位相信号とに基づいて、前記被測定物の網特性を解析するステップとを含むことを特徴とするものである。
【００１０】
本第五の発明は、本第四の発明において、前記位相復調信号と前記基準位相信号とに基づいて前記被測定物の網特性を解析するステップが、前記位相復調信号を関連する位相復調方式と対になる位相変調方式で変調した結果と、前記基準位相信号を同位相変調方式で変調した結果とに基づいて、前記被測定物の網特性を解析することを特徴とするものである。
【００１１】
本第六の発明は、被測定物の網特性を解析する装置であって、前記被測定物に基準変調信号を印加するか、前記被測定物の出力信号から基準変調信号を生成する手段と、前記被測定物の出力信号から、前記出力信号の各成分を生成する手段と、前記基準変調信号から、前記基準変調信号の各成分を生成する手段と、前記出力信号の成分と対応する前記基準変調信号の成分とに基づいて、前記被測定物の網特性を解析する手段とを備えることを特徴とするものである。
【００１２】
本第七の発明は、被測定物の網特性を解析する装置であって、前記被測定物に基準変調信号を印加するか、前記被測定物の出力信号から基準変調信号を生成する手段と、前記被測定物の出力信号を、互いに異なる１以上のＮ個の復調方式のそれぞれで復調し、復調結果であるＮ個の復調信号を得る手段と、前記基準変調信号を、前記Ｎ個の復調方式のそれぞれで復調し、復調結果であるＮ個の復調信号を得る手段と、同一復調方式に基づく前記出力信号の復調信号と前記基準変調信号の復調信号とに基づいて、前記被測定物の網特性を解析する手段とを備えることを特徴とするものである。
【００１３】
本第八の発明は、本第七の発明において、前記解析手段が、少なくとも１つの復調方式について、前記出力信号の復調信号を関連する復調方式と対になる変調方式で変調した結果と、前記基準変調信号の復調信号を関連する復調方式と対になる変調方式で変調した結果とに基づいて、前記被測定物の網特性を解析することを特徴とするものである。
【００１４】
被測定物の網特性を解析する装置であって、前記被測定物に基準変調信号を印加するか、前記被測定物の出力信号から基準変調信号を生成する手段と、前記被測定物の出力信号を振幅復調し、前記出力信号の振幅成分である振幅復調信号を得る手段と、前記出力信号を位相復調し、前記出力信号の位相成分である位相復調信号を得る手段と、前記基準変調信号を振幅復調し、前記基準信号の振幅成分である基準振幅信号を得る手段と、前記基準変調信号を位相復調し、前記基準信号の位相成分である基準位相信号を得る手段と、前記振幅復調信号と前記基準振幅信号とに基づいて、前記被測定物の網特性を解析する手段と、前記位相復調信号と前記基準位相信号とに基づいて、前記被測定物の網特性を解析する手段とを備えることを特徴とするものである。
【００１５】
本第十の発明は、前記位相復調信号と前記基準位相信号とに基づいて前記被測定物の網特性を解析する手段が、前記位相復調信号を関連する位相復調方式と対になる位相変調方式で変調した結果と、前記基準位相信号を同位相変調方式で変調した結果とに基づいて、前記被測定物の網特性を解析することを特徴とするものである。
【００１６】
本第十一の発明は、本第一乃至本第五のいずれかの発明において、前記被測定物は、前記基準信号が印加される時に変調信号を出力することを特徴とするものである。
【００１７】
本第十二の発明は、本第六乃至本第十のいずれかの発明において、前記被測定物は、前記基準信号が印加される時に変調信号を出力することを特徴とするものである。
【発明の効果】
【００１８】
本発明によれば、変調信号の特定成分または特定の変調方式に関連する、被測定物内の特定箇所の網特性を解析することができる。これにより、極座標アンプ内のフィルタの網特性を解析することができる。
【発明を実施するための最良の形態】
【００１９】
本発明の実施の形態を、添付の図面を参照しながら、以下に説明する。本発明の第一の実施形態は、電子測定装置３００である。ここで、図２を参照する。図２は、被測定物である信号発生装置２００と、電子測定装置３００を示す図である。図において、基準信号ＳＲが信号発生装置２００に印加され、信号発生装置２００の出力信号が電子測定装置３００に印加される。まず、被測定物２００について簡単に説明し、その次に電子測定装置３００について説明する。被測定物２００は、振幅／位相分解器２１０と、搬送波信号源２２０と、位相変調器２３０と、極座標アンプ２４０を備える。振幅／位相分解器２１０は、印加される基準信号ＳＲを振幅成分ｒと位相成分θとに分解して出力する装置である。搬送波信号源２２０は、定振幅の正弦波信号を発生する装置である。搬送波信号源２２０の出力信号は、位相変調器２３０において位相成分θにより位相変調され、さらに、極座標アンプ２４０において振幅成分ｒにより振幅変調される。極座標アンプ２４０は、バンドパスフィルタ２４１と、ローパスフィルタ２４２と、可変利得飽和増幅器２４３とを具備する。バンドパスフィルタ２４１は、位相変調器２３０の出力信号を最適化するものである。ローパスフィルタ２４２は、振幅成分ｒを最適化するものである。バンドパスフィルタ２４１の出力信号は、可変利得飽和増幅器２４３で増幅される。可変利得飽和増幅器２４３の利得は、ローパスフィルタ２４２の出力信号により制御される。
【００２０】
次に、電子測定装置３００の構成について説明する。電子測定装置３００は、アナログ・ディジタル変換器３１０と、アナログ・ディジタル変換器３２０と、基準信号発生器３３０と、プロセッサ４００とを備える。アナログ・ディジタル変換器は、以下、ＡＤＣと称する。ＡＤＣ３１０は、被測定物２００の出力である被測定信号ＳＴをアナログ・ディジタル変換する装置であって、変換結果がプロセッサ４００へ出力される。基準信号発生器３３０は、基準信号ＳＲを発生する装置である。ＡＤＣ３２０は、基準信号ＳＲをアナログ・ディジタル変換する装置であって、変換結果がプロセッサ４００へ出力される。プロセッサ４００は、ＡＤＣ３１０およびＡＤＣ３２０から出力されるディジタル値に基づき被測定物２００の網特性を解析する。プロセッサ４００は、ＣＰＵ、ＭＰＵ、ＲＩＳＣまたはＤＳＰなどのような数値演算能力を有するプロセッサである。なお、プロセッサ４００は、ＣＰＵなどと同じように機能するものであればＦＰＧＡやＡＳＩＣなどであっても良い。プロセッサ４００は、図示しないプログラムを実行することにより、振幅／位相分解器４１０および振幅／位相分解器４２０および網特性解析器４３０および網特性解析器４４０として機能する。
【００２１】
振幅／位相分解器４１０および振幅／位相分解器４２０は、入力される信号を振幅成分（振幅信号）と位相成分（位相信号）とに分解するものである。振幅／位相分解器４１０は、振幅／位相分解のために、振幅復調器４１１と位相復調器４１２を含む。振幅復調器４１１は、振幅／位相分解器４１０に入力される被測定信号ＳＴを振幅復調することにより、被測定信号ＳＴの振幅成分である振幅復調信号ＳＴｒを生成し、振幅復調信号ＳＴｒを出力するものである。位相復調器４１２は、被測定信号ＳＴを位相復調することにより、被測定信号ＳＴの位相成分である位相復調信号ＳＴθを生成し、位相復調信号ＳＴθを出力するものである。振幅／位相分解器４２０は、振幅／位相分解のために、振幅復調器４２１と位相復調器４２２を含む。振幅復調器４２１は、振幅／位相分解器４２０に入力される基準信号ＳＲを振幅復調することにより、基準信号ＳＲの振幅成分である基準振幅信号ＳＲｒを生成し、基準振幅信号ＳＲｒを出力するものである。位相復調器４２２は、基準信号ＳＲを位相復調することにより、基準信号ＳＲの位相成分である基準位相信号ＳＲθを抽出し、基準位相信号ＳＲθを出力するものである。なお、振幅復調器４１１および振幅復調器４２１は、同じ復調方式である。また、位相復調器４１２および位相復調器４２２は、同じ復調方式である。網特性解析器４３０および網特性解析器４４０は、入力される２つの信号に基づいて網特性を解析するものである。
【００２２】
次に、図３を参照する。図３は、網特性解析器４４０の内部構成を示すブロック図である。網特性解析器４４０は、位相変調部４４１と、位相変調部４４２と、網特性解析部４４３とを具備する。位相変調部４４１および位相変調部４４２は、入力される信号を再変調するためのものである。位相変調部４４１の変調方式は位相復調器４１２の復調方式と対になるものであり、位相変調部４４２の変調方式は位相復調器４２２の復調方式と対になるものである。従って、位相変調部４４１および位相変調部４４２の変調方式は、同じ変調方式である。網特性解析部４４３は、位相復調器４１２および位相復調器４２２の出力信号に基づいて網特性を解析するものである。
【００２３】
以上が、電子測定装置３００の構成に関する説明である。次に、電子測定装置３００の動作について説明する。ここで再び、図２を参照する。まず、基準信号発生器３３０は、変調信号である基準信号ＳＲを生成する。基準信号ＳＲは、被測定物の入力仕様に依存して生成される。例えば、基準信号ＳＲは、被測定物２００に入力する場合、極座標変調方式や直交変調方式などにより生成される。次に、振幅／位相分解器４１０において、ＡＤＣ３１０によりアナログ・ディジタル変換された被測定信号ＳＴから、振幅復調信号ＳＴｒと位相復調信号ＳＴθが生成される。一方、振幅／位相分解器４２０において、ＡＤＣ３２０によりアナログ・ディジタル変換された基準信号ＳＲから、基準振幅信号ＳＲｒと基準位相信号ＳＲθが生成される。ここで、参考のために、基準振幅信号ＳＲｒの波形例を図４Ａに、基準位相信号ＳＲθの波形例を図４Ｂに、それぞれ示す。図４Ａおよび図４Ｂにおいて、縦軸は信号振幅を表し、横軸は時間を表す。
【００２４】
再び、図２を参照する。振幅復調信号ＳＴｒおよび対応する基準振幅信号ＳＲｒは、網特性解析器４３０で解析される。網特性解析器４３０は、振幅復調信号ＳＴｒおよび基準振幅信号ＳＲｒのそれぞれの複素スペクトラムまたはパワースペクトラムを求め、得られた２つのスペクトラムを比較する。これにより、網特性解析器４３０は、極座標変調信号の振幅成分に関する、被測定物２００内の経路の網特性を解析することができる。網特性解析器４３０は、具体的には、振幅／位相分解器２１０と可変利得飽和増幅器２４３との間の網特性を解析することができる。従って、ローパスフィルタ２４２の網特性を解析することができる。また、位相復調信号ＳＴθおよび基準位相信号ＳＲθは、網特性解析器４４０で解析される。網特性解析器４４０は、位相復調信号ＳＴθおよび基準位相信号ＳＲθを個別に再変調し、再変調した位相復調信号ＭＳＴθおよび再変調した基準位相信号ＭＳＲθに基づいて網特性を解析する。網特性解析部４４３は、再変調した位相復調信号ＭＳＴθおよび再変調した基準位相信号ＭＳＲθのそれぞれの複素スペクトラムまたはパワースペクトラムを求め、得られた２つのスペクトラムを比較する。これにより、網特性解析器４４０は、極座標変調信号を生成するための位相変調に関する、被測定物２００内の経路の網特性を解析することができる。網特性解析器４３０は、具体的には、位相変調器２３０と可変利得飽和増幅器２４３との間の網特性を解析することができる。従って、バンドパスフィルタ２４１の網特性を解析することができる。なお、網特性解析器４３０および網特性解析部４４３は、上記のようなスペクトラム比較を用いる方法（周波数ドメイン法）だけでなく、特開２００４−３６１１７０号公報に記載されるようにインパルス応答を同定する方法（時間ドメイン法）により、網特性を解析するようにしても良い。
【００２５】
ところで、被測定信号ＳＴと基準信号ＳＲとの間においても時間差が生じる場合がある。この時間差は、例えば、信号発生器３３０と振幅／位相分解器２１０との間の電気長や、振幅／位相分解器の処理時間などに起因して生じる。この時間差は、網特性解析器４４０の解析結果に、周波数に比例する線形位相を与える。被測定物２００内の電気長に関する測定や補正では、この時間差を考慮する必要があるが、フィルタなどの特性を測定する場合は、無視することができよう。例えば、フィルタの網特性を解析する場合、この時間差は、周波数−振幅特性には無関係であるし、周波数−位相特性に対しては傾きを与えるにすぎない。したがって、フィルタの非線形な位相特性を十分認識することができる。
【００２６】
なお、網特性解析部４４３において、再変調された信号の代わりに、位相復調信号ＳＴθおよび基準位相信号ＳＲθを解析することができる。この場合、極座標変調信号の位相成分に関する、被測定物２００内の経路の網特性、すなわち、位相変調器２３０と振幅／位相分解器２１０との間の網特性を解析することができる。また、網特性解析器４３０において、振幅復調信号ＳＴｒおよび基準振幅信号ＳＲｒを個別に再変調し、再変調結果に基づいて網特性を解析することができる。この場合、極座標変調信号を生成するための振幅変調に関する、被測定物２００内の経路の網特性を解析することができる。例えば、仮に、極座標アンプ２４０において、可変利得飽和増幅器２４３の後段に回路素子が接続されていた場合、その回路素子の網特性を解析することができる。以上が第一の実施形態についての説明である。
【００２７】
ところで、第一の実施形態では、振幅成分および位相成分のそれぞれについて解析するようにしているが、振幅成分および周波数成分のそれぞれについて解析するようにしても良い。位相変調と周波数変調は、ともに角度変調とも称され、相互に変換できる性質を有するからである。位相変調から周波数変調への変換は以下の通りである。図２において、位相復調器４１２および位相復調器４２２を周波数復調器に変更すれば良い。変更の結果、被測定信号ＳＴを周波数復調することにより周波数復調信号が得られ、基準信号ＳＲを周波数復調することにより基準周波数信号が得られる。そして、位相成分に関する解析の代わりに、周波数復調信号と基準周波数信号とを網特性解析器で解析すると、極座標変調信号の周波数成分に関する、被測定物２００内の経路の網特性を解析することができる。
【００２８】
またさらに、第一の実施形態において、プロセッサ４００内の機能要素、例えば、振幅／位相分解器や網特性解析器は、プログラム実行により仮想的に実現される代わりに、現実のハードウェアで構成されても良い。その逆に、第一の実施形態において、基準信号発生器３３０をもプロセッサ４００内で実現するようにしても良い。
【００２９】
また、第一の実施形態において、ＡＤＣ３１０およびＡＤＣ３２０は、直接、入力信号をアナログ・ディジタル変換するようにしているが、対応可能な周波数帯を変えるために、ＡＤＣ３１０およびＡＤＣ３２０の少なくとも一方の前段に周波数変換器を備えるようにしても良い。
【００３０】
さらに、第一の実施形態において、基準信号ＳＲを電子測定装置３００の外部から供給するようにしても良い。またさらに、基準信号ＳＲを電子測定装置３００内で発生させ、被測定物２００には外部から別の基準信号を供給しても良い。この場合、電子測定装置３００では、特開２００４−３６１１７０号公報に記載されるように、被測定信号ＳＴを復調・変調することにより、被測定信号ＳＴから基準信号ＳＲを生成しても良い。
【００３１】
また、本発明は、次のように一般化する事ができる。ここで、図５を参照する。図５は、変調信号発生装置５００と電子測定装置６００を示す図である。電子測定装置６００は、被測定物である変調信号発生装置５００が発生する信号を測定し、変調信号発生装置５００の網特性を解析する。変調信号発生装置５００は、搬送波を生成する信号源５１０と、ｎ個の信号源（５２０−１〜ｎ）と、ｎ個の変調器（５３０−１〜ｎ）とを備える。なお、ｎは、１以上の整数である。信号源（５２０−１〜ｎ）は、関連する変調方式（Ｆ１〜Ｆｎ）と基準信号ｄとに基づき、信号Ｓ（Ｆ１〜Ｆｎ、ｄ）を発生する装置である。変調器（５３０−１〜ｎ）は、互いに干渉しない変調方式が採用される。ここで、「互いに干渉しない」とは、例えば、変調器（５３０−１）で搬送波に乗せられた信号が他の変調器（５３０−２）の影響を受けることなく、また、変調器（５３０−１）の変調方式と対になる復調方式により、信号Ｓ（Ｆ１、ｄ）に相当する信号のみを復調することができる関係をいう。信号源５１０の出力信号ｍ０は、変調器（５３０−１〜ｎ）に順次変調されて、電子測定装置６００へ送られる。なお、ｍ１、ｍ２、・・・、ｍｎ−１は、それぞれ、変調器５３０−１、５３０−２、・・・、５３０−（ｎ−１）の出力信号を示す。なお、信号源（５２０−１〜ｎ）は、１〜ｎ個分の機能を果たす信号発生装置で置き換えることができる。同様に、変調器（５３０−１〜ｎ）も、１〜ｎ個分の機能を果たす変調装置で置き換えることができる。
【００３２】
電子測定装置６００は、ｎ個の復調器（６１０−１〜ｎ）と、ｎ個の復調器（６２０−１〜ｎ）と、基準信号発生器６３０と、ｎ個の網特性解析器（６４０−１〜ｎ）とを備える。復調器（６１０−１〜ｎ）および復調器（６２０−１〜ｎ）のそれぞれは、変調器（５３０−１〜ｎ）のそれぞれの変調方式と対になる形式で復調を行う。図において、Ｆ１−１〜Ｆｎ−１のそれぞれは、Ｆ１〜Ｆｎのそれぞれと対になる復調方式を表す。基準信号ｄは、変調信号であって、基準信号発生器６３０から出力される。図示しないが、基準信号発生器６３０は、基準信号ｄを供給するために、各信号源（５２０−１〜ｎ）および各復調器（６２０−２〜ｎ）とも電気的に接続されている。網特性解析器（６４０−１〜ｎ）のそれぞれは、関連する復調器（６１０−１〜ｎ）の出力信号Ｆ１−１〜Ｆｎ−１（ｘ）および関連する復調器（６２０−１〜ｎ）の出力信号Ｆ１−１〜Ｆｎ−１（ｄ）を参照し、時間ドメイン法または周波数ドメイン法により網特性を求め、結果を出力する。各網特性解析器（６４０−１〜ｎ）が内部で再変調を施さない場合、得られた結果は、各信号源（５２０−１〜ｎ）と変調器（５３０−１〜ｎ）との間の経路の網特性を示す。一方、各網特性解析器（６４０−１〜ｎ）が内部で再変調を施す場合、得られた結果は、各変調器（５３０−１〜ｎ）間の経路の網特性を示す。なお、本拡張形態においても、既に述べた態様変形を施せることは言うまでもない。
【図面の簡単な説明】
【００３３】
【図１】極座標変調方式の概念を示すブロック図である。
【図２】被測定物２００と電子測定装置３００を示す図である。
【図３】網特性解析器４４０の内部構成を示す図である。
【図４Ａ】振幅成分ＳＲｒの波形を示す図である。
【図４Ｂ】位相成分ＳＲθの波形を示す図である。
【図５】被測定物５００と電子測定装置６００を示す図である。
【符号の説明】
【００３４】
１１０  極座標信号発生器
１２０，２２０  搬送波信号源
１３０，２３０  位相変調器
１４０，２４０  極座標アンプ
１４１，２４１  バンドパスフィルタ
１４２，２４２  ローパスフィルタ
１４３，２４３  可変利得飽和増幅器
２００  被測定物，信号発生装置
２１０  振幅／位相分解器
２９０  極座標信号発生器
３００  電子測定装置
３１０，３２０  アナログ・ディジタル変換器
３３０  信号発生器
４００  プロセッサ
４００  電子測定装置
４１０，４２０  振幅／位相分解器
４１１，４２１  振幅復調器
４１２，４２２  位相復調器
４３０，４４０  網特性解析器
４４１，４４２  位相変調部
４４３  網特性解析部
５００  変調信号発生装置
５１０  搬送波信号源
５２０  信号源
５３０  変調器
６００  電子測定装置
６１０，６２０  復調器
６３０  基準信号発生器
６４０  網特性解析器
【図１】
0005128057.tif 000002
【図２】
0005128057.tif 000003
【図３】
0005128057.tif 000004
【図４Ａ】
0005128057.tif 000005
【図４Ｂ】
0005128057.tif 000006
【図５】
0005128057.tif 000007